(57)【要約】【課題】敷設作業において８の字状に巻回されたケーブルを一旦他の場所に移し替えることなく効率良く引き出すことができ、また、ケーブルを８の字状に巻回した巻回束を大きな力を必要とすることなく簡単かつ楽に横に移動させて取り出すことができるケーブル巻回具を提供する。【解決手段】巻回具本体２と、ケーブル３１が巻回される２つの巻回部２１とを有し、ケーブル３１を前記２つの巻回部２１の中間部で交差させて巻き付けることで８の字状に巻回するものであって、巻回部２１は、巻回具本体２に立設されてケーブル巻回時にケーブル３１が掛け止めされる複数の掛止部２２で構成するとともに、各掛止部２２は、巻回されたケーブル３１の内方に横倒可能に形成した。【選択図】図１
2010265069.tif 000002
【特許請求の範囲】
【請求項１】
巻回具本体と、ケーブルが巻回される２つの巻回部とを有し、前記ケーブルを前記２つの巻回部の中間部で交差させて巻き付けることで８の字状に巻回するケーブル巻回具であって、
前記巻回部は、前記巻回具本体に立設されてケーブル巻回時に該ケーブルが係止される複数の係止部で構成され、
前記係止部は、巻回された前記ケーブルの内方または外方に横倒可能に形成されてなることを特徴とするケーブル巻回具。
【請求項２】
前記係止部は、前記ケーブルが掛け止めされ、巻回された前記ケーブルの内方に横倒可能な掛止部からなることを特徴とする請求項１に記載のケーブル巻回具。
【請求項３】
前記巻回具本体は、複数の棒状体によって２つの十字を連設した形状に形成されてなり、
前記各棒状体は、前記十字の中心部を軸として該十字の中心線に沿う方向に回動可能に設けられていることを特徴とする請求項１または請求項２に記載のケーブル巻回具。
【発明の詳細な説明】
【技術分野】
【０００１】
本発明は、ケーブルの敷設においてケーブルを８の字状に巻回し、仮置きあるいは一時保管するために使用されるケーブル巻回具に関するものである。
【背景技術】
【０００２】
従来より、長尺のケーブルを地下埋設管路や地上ピット等に敷設する際にケーブルに捩れがあるとケーブルが蛇行したりするので、その捩れを防止するために、ケーブルを８の字状に巻回することが行なわれている。ケーブルを８の字状に巻回するための巻回具として、実開平２−９９８６９号公報に記載されたものが知られている。
【０００３】
前記公報に記載の巻回具は、図１０に示すように、ケーブル３１の交差部を挟んで立設された一対の支柱４２に平面Ｖ字状の支持アーム４３を多段に対向突設させた交差部ガイド４４と、ケーブル３１の円弧部に沿って配置される円弧プレート４５からなる円弧ガイド４６とで構成されている。この巻回具４１により、ケーブル３１は上方に同じ大きさの８の字を描いて積み上げられ、これを仮置きすることができる。
【先行技術文献】
【特許文献】
【０００４】
【特許文献１】実開平２−９９８６９号公報
【発明の概要】
【発明が解決しようとする課題】
【０００５】
しかし、前記公報に記載の巻回具４１は、多段の支持アーム４３を有する交差部ガイド４４やケーブル３１の円弧径を規制する円弧プレート４５が設けられているため、ケーブル３１を巻回した後、敷設範囲の後半部を繰り出す際に、巻回具４１からケーブル３１を引き出すには、ケーブル３１を一旦巻回具４１から他の場所である巻回具４１横の空きスペース等に移動させ移し替えてから行なわなければならない。このため、巻回具４１からのケーブル３１の繰出作業は大変面倒なものとなっていた。
【０００６】
また、この巻回具４１を使用してケーブル３１を８の字状に巻回した巻回束３２を順次作成していって多数の巻回束３２を仮置きし一時保管する作業を行なう場合は、ケーブル３１を巻回具４１に巻回した後、その巻回束３２を巻回具４１の側方に移動させて取り出し、その後、次の巻回束３２の作成に移行して、同様に、巻回束３２を作成し、これを巻回具４１から取り出すという作業を繰り返すが、その作業において、従来の巻回具４１は、巻回した巻回束３２を巻回具４１から取り出すには、円弧プレート４５を乗り越えさせるように持ち上げて行なわなければならなかった。そのため、作業が大変面倒であり、特に、大径のケーブル３１の場合では、重量が大きい分、多大な持上げ力、労力が必要で重労働となり、更に困難な作業を強いられていた。
【０００７】
そこで、本発明は、敷設作業において８の字状に巻回されたケーブルを一旦他の場所に移し替えることなく効率良く引き出すことができ、また、ケーブルを８の字状に巻回した巻回束を大きな力を必要とすることなく簡単かつ楽に横に移動させて取り出すことができるケーブル巻回具の提供を課題とするものである。
【課題を解決するための手段】
【０００８】
請求項１のケーブル巻回具は、巻回具本体と、ケーブルが巻回される２つの巻回部とを有し、前記ケーブルを前記２つの巻回部の中間部で交差させて巻き付けることで８の字状に巻回するために使用されるものであって、前記巻回部は、前記巻回具本体に立設されてケーブル巻回時に該ケーブルが係止される複数の係止部で構成され、前記係止部は、巻回された前記ケーブルの内方または外方に横倒可能に形成されたものである。
【０００９】
ここで、ケーブルは８の字状に巻回すると、ケーブルに発生する捩れを相殺して捩れの発生を抑えることができ、ケーブルが敷設路途中において蛇行するのを防止できる。
【００１０】
上記構成により、係止部で構成された巻回部はケーブルの巻回路を案内するガイドともなり、ケーブルは係止部に係止され、係止部に沿って８の字状に巻回される。ケーブル巻回後は、係止部を、巻回されたケーブルの内方または外方に横倒することにより、巻回具に載置された状態でケーブルを順次繰り出して敷設路に敷設することができる。また、係止部を横倒することにより、巻回されたケーブルの巻回束を横にずらして移動させ、巻回具から取り出すことができる。ここで、係止部への係止には、ケーブルが外部側から係止部に掛け止めされる、外部側から係止される場合と、ケーブルが内部側から外部側に向けて拡張し係止部に当接して規制される、内部側から係止される場合とがある。
【００１１】
請求項２のケーブル巻回具は、請求項１の係止部が、ケーブルが掛け止めされ、巻回されたケーブルの内方に横倒可能な掛止部からなる。
【００１２】
請求項３のケーブル巻回具は、巻回具本体が、複数の棒状体によって２つの十字を連設した形状に形成されてなり、前記各棒状体は、前記十字の中心部を軸として該十字の中心線に沿う方向に回動可能に設けられている。即ち、巻回具は、十字の中心部を軸として複数の棒状体を回動して傘のようにすぼめたり開いたりすることができるようになっている。ここで、十字の中心線とは、十字の交差点を垂直方向に貫通する線をいう。
【発明の効果】
【００１３】
請求項１の発明は、ケーブルを８の字状に巻回した後、係止部を、巻回されたケーブルの内方または外方に横倒することにより、ケーブルは持ち上げたりすることなく巻回具に載置された状態で順次繰り出すことができるので、敷設長の長いケーブルを、敷設路の前半部と後半部とに分け、敷設路の中間地点で８の字状に巻回し仮置きしてから後半部を敷設する作業を行なったりする際に、巻回具からケーブルを引出す作業を一旦他の場所に移し替えることなく効率良く行なうことができ、作業性が向上する。
【００１４】
また、係止部を横倒することにより、巻回されたケーブルを持ち上げることなく巻回束を横にずらすことができるので、多数の巻回束を仮置きし一時保管する作業を行なったりする際に、ケーブルが大径の重量のある場合であっても、巻回したケーブルの巻回束を大きな力を必要とすることなく簡単かつ楽に巻回具の側方に移動させて取り出すことができる。
【００１５】
請求項２の発明は、ケーブルが掛止部に掛け止めされ、掛止部と当接した状態で巻回されるから、ケーブルを作業性良く確実に一定形状の８の字状に巻回し、積み重ねることができる。
【００１６】
請求項３の発明は、複数の棒状体をコンパクトに折り畳むことができるので、使用後の巻回具の運搬が楽になるとともに、保管スペースを小さくすることができる。
【図面の簡単な説明】
【００１７】
【図１】本発明の実施形態のケーブル巻回具を示す斜視図である。
【図２】図１の巻回具を示し、(a)は平面図、(b)は正面図、(c)は右側面図である。
【図３】図１の巻回部を示す要部斜視図である。
【図４】図１の巻回具本体の十字の中心部を示し、(a)は回動許容空間を回動規制板で閉塞した状態を示す斜視図、(b)は分解斜視図である。
【図５】図４の中心部を示す断面図であり、(a)は回動許容空間を回動規制板で閉塞した状態、(b)は回動規制板を浮き上がらせた状態を示す。
【図６】図１の棒状体を十字の中心部を軸に回動させる状態を示す説明図である。
【図７】図１の巻回部を示し、(a)は立設途中の状態を示す正面図、(b)は立設後の状態を示す正面図、(c)は立設途中の状態を示す斜視図である。
【図８】８の字状に巻回した巻回束を図１の巻回具から取り出す状態を示す平面図である。
【図９】図１の巻回具を折り畳んだ状態を示す正面図である。
【図１０】従来の巻回具の平面図である。
【発明を実施するための形態】
【００１８】
以下、本発明の実施形態のケーブル巻回具を図に基づいて説明する。
図１及び図２において、巻回具１は、巻回具本体２と、ケーブル３１が巻回される２つの巻回部２１とで構成されており、ケーブル３１を前記２つの巻回部２１の中間部で交差させて巻き付けることで８の字状に巻回するものである。巻回具本体２は、複数の棒状体３によって、図２(a)に示すように、全体が平面視で２つの十字を連設した形状に形成されている。そして、各棒状体３は、図６に示すように、前記十字の中心部７を軸として該十字の中心線１８に沿う方向に回動可能に設けられている。一方、巻回部２１は、ケーブル３１が係止される複数の係止部からなり、図１等に示す本実施形態においては、前記係止部は、巻回具本体２に立設されてケーブル巻回時にケーブル３１が掛け止めされる掛止部２２で構成されている。更に、掛止部２２は、巻回されたケーブル３１の内方に横倒可能に形成されている。以下、各構成部材について更に説明する。
【００１９】
まず、前記巻回具本体２は、その中央部即ち８の字形状の２本の直線が交わる交差部分におけるケーブル３１を支持する１本の長尺棒状体３ａと、８の字形状の円環部分においてケーブル３１を支持する計６本の短尺棒状体３ｂとで構成されている。各棒状体３はアルミニウム材や鋼材等を使用した四角筒状体で形成されている。巻回具本体２は少なくとも８の字状に巻回されたケーブル３１の巻回束３２を載置し得る強度を備えている。
【００２０】
各棒状体３は、断面が幅広の矩形枠状をなし、一端が巻回具本体２の十字の中心部７に取付けられている。図３及び図４において、巻回具本体２の十字の中心部７は、鋼板などの金属板からなり、上面が開口する四角箱状の基台８が設けられている。この基台８の４面の側壁９はいずれも外側から見た略右半分にコ字状に切欠された切欠開口９ａが形成されており、この切欠開口９ａは棒状体３の断面形状とほぼ合致する大きさ及び形状に形成されていて、棒状体３の一端をほぼ隙間なく挿入できるようになっている。各側壁９の外側から見た略左半分は、六角ボルト１０が貫通する貫通孔９ｂが形成されており、この側壁９の略左半分は六角ボルト１０を取着するためのフランジとして機能するとともに、棒状体３の一方の側壁４と面接触して棒状体３が側方に移動するのを規制するフランジとして機能する。また、棒状体３の端部の両側壁４には六角ボルト１０が挿通される挿通孔４ａが一対設けられている。
【００２１】
基台８の底壁１１において各棒状体３の端部の近辺には、それぞれ底壁１１をコ字状に切欠して内部側に垂直に切り起こしたボルト取付フランジ１２が立設されている。そして、各ボルト取付フランジ１２の略中央には六角ボルト１０のねじ部が挿通され螺着されるねじ孔１２ａが設けられている。なお、ボルト取付フランジ１２は、基台８の側壁９の略左半分と同様に、六角ボルト１０を取着するためのフランジとして機能するとともに、棒状体３の他方の側壁４と面接触して棒状体３が側方に移動するのを規制するフランジとして機能する。
【００２２】
この構成により、各棒状体３は、六角ボルト１０が基台８の側壁９の貫通孔９ｂ及び棒状体３の側壁４の挿通孔４ａに挿通された後、ボルト取付フランジ１２のねじ孔１２ａに螺着されることにより、基台８に六角ボルト１０を軸として回動可能に取付けられている。なお、棒状体３の先端の端面５と、これと対向する位置に立設された、隣接する棒状体３を取着するためのボルト取付フランジ１２との間には隙間からなる回動許容空間１３が形成されていて、棒状体３の先端の端面５が対向するボルト取付フランジ１２や六角ボルト１０のねじ部先端と干渉して前記回動が妨げられるのが回避されている。
【００２３】
更に、基台８の底壁１１の中央にはボルト１４が螺着、溶接等により垂直に立設されている。このボルト１４には下方から順にコイルスプリング１５、回動規制板１６及び蝶ナット１７が外挿されている。回動規制板１６は、基台８の上面開口に形成された回動許容空間１３に合致した大きさ、形状に形成されており、図４(a)及び図５(a)に示すように、回動許容空間１３を隙間なく閉塞することができる。回動規制板１６は、蝶ナット１７の締付具合を調整し、少し締付けを緩めれば、コイルスプリング１５の付勢力によって上方に押し上げられ、図５(b)の白抜き矢印で示すように、基台８の上面より上方に浮き上がる。
【００２４】
この構成により、棒状体３は、基台８の底面に沿った姿勢から、十字の中心部７を軸として十字の中心線１８つまり十字の交差点を垂直方向に貫通する線に沿う方向に回動させ、基台８の底面に対して立ち上がった姿勢とすることができるようになっている。即ち、巻回具１は、図５(b)の二点鎖線及び図６の白抜き矢印で示すように、十字の中心部７を軸として各棒状体３を９０度の範囲で回動して傘のようにすぼめることができ、逆に、開いたりすることができるようになっている。なお、ここで、十字の中心部７を軸として回動させるとは、厳密には中心部７の基台８に取着されている六角ボルト１０の軸線を軸として回動させることを意味する。
【００２５】
一方、ケーブル３１が巻回される２つの巻回部２１は、それぞれ４個の係止部としての掛止部２２で構成されており、各掛止部２２は、図１及び図２に示すように、巻回具本体２の十字形状を形成する棒状体３の上面６に垂直に立設されている。この掛止部２２はケーブル３１の巻回時に外側にケーブル３１が掛け止めされる。各掛止部２２から十字の中心部７までの距離は全て同一に形成されている。更に、掛止部２２は、巻回されたケーブル３１の内方に横倒可能に棒状体３に取付けられている。具体的には、掛止部２２は、図７に示すように、ケーブル３１が掛止される掛止部本体２３と、掛止部本体２３を垂直の立設状態に保持固定する保持金具２４とで構成されている。なお、長尺棒状体３ａに立設された２個の掛止部２２は、長尺棒状体３ａへの立設位置によっては、図１に示すように、ケーブル３１が掛止していないから、これら２個の掛止部２２の設置を省くこともできる。但し、この長尺棒状体３ａに立設された２個の掛止部２２は、ケーブル３１が一定の交差部で交差するよう導く案内部材として機能し得る。
【００２６】
掛止部２２を構成する掛止部本体２３は、コ字状に屈曲形成してなる取付金具２５に、金属棒を屈曲して細長Ｕ字状に形成したＵ字棒２６がかしめ等により一体に接続固定されている。また、取付金具２５には立設状態において掛止部本体２３を横倒する方向に付勢するばね線２７が取付けられているとともに、保持金具２４の後述する係止突起３０が係止される被係止突起２８が形成されている。掛止部本体２３は取付金具２５に設けられた取付孔２５ａと棒状体３の両側壁４に設けられた貫通孔４ｂとに図７(c)に示す取付ピン２９を挿通し、その挿通した先端部をかしめて取付けることにより、棒状体３に９０度の範囲で回動可能に取着されている。保持金具２４は、金属板をコ字状に屈曲して形成されてなり、コ字状の中間板部の端部に前記掛止部本体２３の被係止突起２８にばね線２７の付勢力を介して弾性的に係止する係止突起３０が形成されている。保持金具２４は、掛止部本体２３から十字形状の中心方向に所定距離離間して取付けられており、掛止部本体２３と同様に、コ字状の両側板部に設けられた取付孔２４ａと棒状体３の両側壁４に設けられた貫通孔４ｂとに取付ピン２９を挿通し、その挿通した先端部をかしめて取付けることにより、棒状体３に約９０度の範囲で回動可能に取着されている。
【００２７】
掛止部２２は、図７(a)に示すように、掛止部本体２３及び保持金具２４を取付ピン２９を軸に回動した後、立設状態となったら、図７(b)に示すように、ばね線２７の付勢力に抗して保持金具２４の係止突起３０を掛止部本体２３の被係止突起２８に係止させることにより、一定の垂直の立設状態に保持固定することができる。
【００２８】
一方、掛止部２２を横倒するときには、掛止部２２の掛止部本体２３を一旦ばね線２７の付勢力に抗して９０度より僅かに開く角度に回動させて保持金具２４の係止突起３０と掛止部本体２３の被係止突起２８との係止を解除する。そして、これにより、掛止部本体２３と保持金具２４とが離間し、それぞれが回動可能な状態になったら、まず、保持金具２４を棒状体３の上面６に沿う方向に回動し、次いで、掛止部本体２３を同様に回動して横倒する。
【００２９】
次に、上記のように構成された巻回具１を使用した長尺のケーブル３１を巻回する操作について説明する。
ケーブル３１を８の字状に巻回するには、巻回具本体２を２つの十字状の部分が展開した状態に保持固定するとともに、全ての掛止部２２を棒状体３の上面６に立設させた状態に保持固定する。このとき、巻回具本体２は十字の中心部７の蝶ナット１７を締付けて回動規制板１６を基台８の上面開口の回動許容空間１３を閉塞する高さに位置させる。これにより、各棒状体３は、図５(a)に示すように、その端面５が回動規制板１６の外縁端面１６ａと当接して六角ボルト１０を軸に不用意に回動するのが阻止されるので、巻回具本体２は、ケーブル３１の巻回作業中、上記のように十字状に展開した状態に確実に保持固定させておくことができる。
【００３０】
そこで、この状態で、ケーブル３１を各掛止部２２の外側に回してこれに掛け止めし、交差部で交差させて８の字を描きながら下方から順次上方に積み上げていけば、ケーブル３１は横崩れすることなく安定して８の字状に巻回され、巻回束３２が形成される。
【００３１】
次に、巻回したケーブル３１を巻回具１から引き出す操作、及びケーブル３１を８の字状に巻回した巻回束３２を束ごと巻回具１から取り出す操作について説明する。
まず、ケーブル３１を引き出すには、保持金具２４の係止突起３０と掛止部本体２３の被係止突起２８との係止を解除し、最初に、保持金具２４を棒状体３の上面６に沿う方向に回動し、次いで、掛止部本体２３を同様に回動して、掛止部２２を巻回したケーブル３１の内方に横倒する。このようにして全ての掛止部２２を横倒したら、巻回具１は、ケーブル３１の載置面全体が、掛止部２２が起立していない平坦面となるので、ケーブル３１は持ち上げることなくそのまま巻回具１から繰り出しつつ引き出す。以後は、ケーブル３１を引き出しつつ順次敷設路に繰り出す。なお、このとき、ケーブル３１は８の字状に巻回されているので、繰り出されたケーブル３１に捩れが発生するのを防止でき、それにより、ケーブル３１が敷設路途中において蛇行するのを防止することができる。
【００３２】
次に、ケーブル３１を巻回した巻回束３２を束ごと巻回具１の側方に取り出すには、上記引出の場合と同様にして、保持金具２４の係止突起３０と掛止部本体２３の被係止突起２８との係止を解除し、掛止部２２を巻回したケーブル３１の内方に横倒する。それにより、ケーブル３１の載置面全体が平坦面となるので、巻回束３２を持ち上げることなくそのまま横にずらしながら巻回具１の側方に移動させる。
【００３３】
この巻回具１は、例えば、次の作業において使用される。
即ち、ケーブル３１を地下埋設管路や地上ピット等に敷設するに際し、敷設長が長いためにケーブルと管路との摩擦力による引張力が大きい場合に、その引張り抵抗を軽減すべく、最初にドラムからケーブル３１を引き出して敷設範囲の中間地点までの前半部に敷設する。次いで、後半部に敷設されるケーブル３１をドラムから引き出して８の字状に蓄積した状態に仮置きし、最後に仮置きした巻回束３２からケーブル３１を繰り出して中間地点から後半部に敷設する。この作業において、巻回具１は、巻回具１に８の字状に巻回して載置された状態で直ちにケーブル３１を敷設路の後半部に繰り出すことができる。
【００３４】
また、ケーブル３１を８の字状に巻回した巻回束３２を順次作成していって多数の巻回束３２を仮置きし或いは一時保管する作業を行なうことがある。この作業において、巻回具１は、図８に示すように、ケーブル３１の巻回束３２を持ち上げることなくそのまま側方にずらして移動させ、巻回具１の側方に取り出すことができる。この後、巻回具１の側方に取り出された巻回束３２は、中間の交差部で半折りして重ね、一つの環状の束とすれば、この束に腕を通すなどして他所に簡単に持ち運ぶことができる。また、これにより、巻回束３２の設置スペース、保管スペースを小さくすることができる。
【００３５】
一方、使用した巻回具１は折り畳んで運搬あるいは保管することができる。即ち、図４(a)に示す状態において、蝶ナット１７の締付けを緩め、コイルスプリング１５の付勢力を利用して、図５(b)に示すように、回動規制板１６を棒状体３の上面６より上方に浮き上がらせる。すると、回動規制板１６により閉塞されていた回動許容空間１３が開放状態となるので、棒状体３の端面５と回動規制板１６の外縁端面１６ａとの当接が解除され、干渉しなくなって棒状体３は六角ボルト１０を軸に回動可能となる。そこで、全ての棒状体３を中心部７を軸に十字の中心線１８に沿う方向に回動すれば、棒状体３は傘のようにすぼめられ、巻回具１の中央の１本の長尺棒状体３ａを基に、これに両側各３本の短尺棒状体３ｂが折り重ねられて、図９に示すような、各棒状体３が束ねられたコンパクトな状態に折り畳まれる。なお、棒状体３を折り畳んだ後は、必要に応じて、バンド等で全ての棒状体３の端部を一つに結束する。
【００３６】
次に、本実施形態の巻回具１の作用を説明する。
巻回具１は、ケーブル３１を８の字状に巻回した後、掛止部２２を、巻回されたケーブル３１の内方に横倒することにより、ケーブル３１は持ち上げたりすることなく巻回具１に載置された状態でそのまま順次繰り出すことができるので、前述のような、長尺のケーブル３１の後半部を８の字状に巻回し仮置きしてから後半部を敷設する作業を行なったりする際に、巻回具１から一旦ケーブル３１を巻回具１の側方に移動させる必要がなく、ケーブル３１を効率良く引出すことができ、作業性が向上する。
【００３７】
また、掛止部２２を横倒することにより、巻回されたケーブル３１を持ち上げることなく巻回束３２毎巻回具１の横にずらすことができるので、１つの巻回具１を使用して８の字状のケーブル３１の巻回束３２を多数形成して仮置きし一時保管する作業を行なったりする際に、譬え重量のある大径のケーブル３１などの場合であっても、巻回したケーブル３１の巻回束３２を大きな力を必要とすることなくそのまま横にずらして簡単かつ楽に巻回具１の側方に取り出すことができる。
【００３８】
更に、各掛止部２２は巻回されるケーブル３１の内方に配設されてケーブル３１が掛け止めされ、ケーブル３１は掛止部２２と当接した状態で巻回されるから、ケーブル３１を作業性良く確実に一定形状の８の字状に巻回し、積み重ねることができる。
【００３９】
そして、巻回具本体２の各棒状体３は、十字の中心部７を軸として該十字の中心線１８に沿う方向に回動可能に設けられているから、複数の棒状体３をコンパクトに折り畳むことができる。これにより、使用後の巻回具１の運搬を楽に行なうことができるとともに、その保管スペースを小さくすることができる。
【００４０】
ところで、上記実施形態の巻回具１は、巻回具本体２が複数の棒状体３を使用して２つの十字を連設した形状に形成されているが、これに限られるものではなく、例えば、巻回具本体２を平板で形成し、この平板の上面の所定位置に複数の掛止部２２を配置し、立設したものとすることもできる。
【００４１】
また、巻回具本体２の棒状体３は、図示しないが、上面６の幅方向中間部分が長手方向に沿って開口し、内部に、上面６の開口から上部が僅かに突出する球体や小ローラが棒状体３の長手方向に沿って多数収容されたものに形成してもよい。この場合は、８の字状に巻回されたケーブル３１の巻回束３２を巻回具１の側方にずらして取り出すときに、移動のための力を更に小さくすることができる。
【００４２】
更に、上記実施形態の巻回部２１は、各掛止部２２と十字の中心部７との間隔が全て同一に形成され、巻回部２１においてケーブル３１はほぼ真円の形状に巻回されるが、必ずしもこれに限られるものではなく、複数の棒状体３の間で、掛止部２２と十字の中心部７との間隔を異ならせて例えば楕円形状等に巻回させることもできる。また、一対の巻回部２１において、巻回径を互いに異ならせてもよい。
【００４３】
加えて、上記実施形態の掛止部２２は、棒状体３の一定位置に固定されているが、十字の中心部７までの距離を可変できるよう棒状体３の長手方向に移動可能に取付けてもよい。この場合は、掛止部２２と十字の中心部７との間隔を変更することにより、ケーブル３１の種類、外径、材質等に応じて巻回半径を最適な大きさに調整することができる。
【００４４】
そして、掛止部２２は、各巻回部２１において４個ずつ立設されているが、その個数はこれに限られるものではなく、例えば、８の字の交差部に立設された掛止部２２は省くこともできる。
【００４５】
また、掛止部２２は、Ｕ字棒２６を上下にスライドできるようにしたり、上部に継ぎ足したりして高さを調整できるようにしてもよい。この場合は、ケーブル３１の積み上げ高さに対応することができる。
【００４６】
更に、掛止部２２の掛止部本体２３は、Ｕ字棒２６により形成されているが、これに限られず、丸棒、丸パイプ等で形成してもよい。そして、掛止部２２は、丸棒や丸パイプ等を棒状体３に差し込んで着脱自在な構造として立設してもよい。
加えて、上記実施形態の掛止部２２は、掛止部本体２３と保持金具２４との２部材で構成し、掛止部本体２３の被係止突起２８と保持金具２４の係止突起３０とを係止させて保持固定しているが、この構造に限られるものでもない。
【００４７】
そして、上記実施形態においては、巻回部２１を構成する係止部は、ケーブル３１の巻回時にケーブル３１が掛け止めされる掛止部２２からなり、各掛止部２２は、巻回されたケーブル３１の内方に横倒可能に形成されているが、本発明を実施する場合には、係止部を、ケーブル３１が内部側から外部側に向けて係止するものであって、巻回されるケーブル３１の外部側に立設され、かつ、巻回されるケーブル３１の外方に横倒可能なものとすることも可能である。この場合、ケーブル３１は、その巻回の曲げ抵抗による弾性復帰力によって外方に拡張しようとするのをこの係止部と当接することにより規制されて、８の字状に巻回される。この場合、この外部側に立設される係止部は、例えば、前記掛止部２２と同様の構成で形成することができ、巻回されるケーブル３１の外方に横倒させることができる。また、巻回部２１は、配設位置により、巻回されるケーブル３１の内方に横倒する掛止部２２と前記外方に横倒する係止部とのいずれかが設けられ、両者が混在するものとしてもよい。
【符号の説明】
【００４８】
１    巻回具
２    巻回具本体
３    棒状体
３ａ  長尺棒状体
３ｂ  短尺棒状体
７    中心部
１８    中心線
２１    巻回部
２２    掛止部
３１    ケーブル
【図１】
2010265069.tif 000003
【図２】
2010265069.tif 000004
【図３】
2010265069.tif 000005
【図４】
2010265069.tif 000006
【図５】
2010265069.tif 000007
【図６】
2010265069.tif 000008
【図７】
2010265069.tif 000009
【図８】
2010265069.tif 000010
【図９】
2010265069.tif 000011
【図１０】
2010265069.tif 000012